(57)【要約】【課題】使用者、特に視覚障害者によるジャム処理などの保守作業をサポートすることが可能な画像形成装置を提供する。【解決手段】カードリーダで読み取ったＩＤカードの個人情報が視覚障害者であって、ジャム検知手段によりジャムが検知された場合に、ジャム検知手段により検知されたジャム発生領域に基づいて、ジャム発生領域に相当するシート搬送経路を開放すべく移動されるべき構成部材のレバーを振動手段により振動させる制御手段を備える。【選択図】　図８
2004025594.tif 000002
【特許請求の範囲】
【請求項１】
シートが搬送されるシート搬送経路においてジャムが発生した場合にジャムの発生を検知するジャム検知手段と、
前記シート搬送経路に沿って設けられた構成部材に設けられ、該シート搬送経路を開放するために該構成部材が移動されるように使用者により操作される操作部材と、
前記操作部材を振動させる振動手段と、
所定の情報が入力される情報入力手段と、
を備え、シートに画像を形成する画像形成装置であって、
前記情報入力手段に所定の情報が入力された状態で、前記ジャム検知手段によりジャムが検知された場合に、該ジャム検知手段により検知されたジャム発生領域に基づいて、前記構成部材の前記操作部材のうち該ジャム発生領域に相当するシート搬送経路を開放すべく移動されるべき構成部材の操作部材を前記振動手段により振動させる制御手段を備えることを特徴とする画像形成装置。
【請求項２】
前記操作部材が操作されたことを検出する操作検出手段を備え、
前記制御手段は、前記振動手段により前記操作部材が振動している場合において、前記操作検出手段により前記操作部材が操作されたことを検出した場合には、前記振動手段による前記操作部材の振動を停止させることを特徴とする請求項１に記載の画像形成装置。
【請求項３】
前記ジャム検知手段により検知されたジャム発生領域に相当するシート搬送経路を開放すべく移動されるべき構成部材の操作部材を複数操作する必要がある場合には、前記制御手段は、ジャム処理手順を決定し、該ジャム処理手順に基づいて該複数の操作部材のうち第１の操作部材の振動・停止動作を行った後に、第２の操作部材の振動・停止動作を行っていくことを特徴とする請求項２に記載の画像形成装置。
【請求項４】
装置本体に開閉可能に設けられ装置本体の筐体の一部として前記構成部材をカバーするものであって、前記振動手段により振動されるカバー部材と、
前記カバー部材が開放されたことを検出する開放検出手段と、
を備え、
前記制御手段は、前記構成部材の移動に際して前記カバー部材の開放が必要と判断した場合には、前記振動手段により該カバー部材を振動させ、前記開放検出手段により該カバー部材の開放が検出された場合に該カバー部材の振動を停止させることを特徴とする請求項１乃至３のいずれか１項に記載の画像形成装置。
【請求項５】
前記構成部材とは、装置本体に開閉可能に設けられた装置本体の筐体の一部であって、前記操作部材を含むものであり、
前記構成部材が装置本体から開放されたことを検出する開放検出手段を備え、前記制御手段は、前記構成部材の移動に際して前記振動手段により該構成部材を振動させ、前記開放検出手段により該構成部材の開放が検出された場合に該構成部材の振動を停止させることを特徴とする請求項１に記載の画像形成装置。
【請求項６】
前記情報入力手段に入力される所定の情報とは、使用者が視覚障害者であることを含む個人情報であることを特徴とする請求項１乃至５のいずれか１項に記載の画像形成装置。
【発明の詳細な説明】
【０００１】
【発明の属する技術分野】
本発明は、用紙等のシート状の記録媒体（シート）上に画像を形成する機能を備えた、例えば、複写機、プリンタ、あるいは、ファクシミリ装置などの画像形成装置に関するものである。
【０００２】
【従来の技術】
従来より、プリンタ、スキャナ、コピーなどの画像形成装置、あるいは複数の機能を一体にした複合機と呼ばれる画像形成装置では、液晶モニタ上に操作画面を表示し、その操作画面の指示に従ってキー操作を行うことにより、プリント指令やコピー指令などを行えるようにしており、身体的に障害をもつ障害者用向けに操作が対応されているものもある。
【０００３】
【発明が解決しようとする課題】
しかしながら、上記のような従来技術の場合には、下記のような問題が生じていた。
【０００４】
上記のような複写機における障害者対策は通常オペレーションを想定しており、ジャムなどの保守作業に関しては考慮されていない。
【０００５】
したがって、このような複写機でジャムが発生した場合には、そのジャム処理は通常のジャム処理動作と違いは無く、弱視などの視覚障害者によるジャム処理は困難であるという問題があった。
【０００６】
本発明は上記の従来技術の課題を解決するためになされたもので、その目的とするところは、使用者特に視覚障害者によるジャム処理などの保守作業をサポートすることが可能な画像形成装置を提供することにある。
【０００７】
【課題を解決するための手段】
上記目的を達成するために本発明にあっては、
シートが搬送されるシート搬送経路においてジャムが発生した場合にジャムの発生を検知するジャム検知手段と、
前記シート搬送経路に沿って設けられた構成部材に設けられ、該シート搬送経路を開放するために該構成部材が移動されるように使用者により操作される操作部材と、
前記操作部材を振動させる振動手段と、
所定の情報が入力される情報入力手段と、
を備え、シートに画像を形成する画像形成装置であって、
前記情報入力手段に所定の情報が入力された状態で、前記ジャム検知手段によりジャムが検知された場合に、該ジャム検知手段により検知されたジャム発生領域に基づいて、前記構成部材の前記操作部材のうち該ジャム発生領域に相当するシート搬送経路を開放すべく移動されるべき構成部材の操作部材を前記振動手段により振動させる制御手段を備えることを特徴とする。
【０００８】
前記操作部材が操作されたことを検出する操作検出手段を備え、
前記制御手段は、前記振動手段により前記操作部材が振動している場合において、前記操作検出手段により前記操作部材が操作されたことを検出した場合には、前記振動手段による前記操作部材の振動を停止させることも好適である。
【０００９】
前記ジャム検知手段により検知されたジャム発生領域に相当するシート搬送経路を開放すべく移動されるべき構成部材の操作部材を複数操作する必要がある場合には、前記制御手段は、ジャム処理手順を決定し、該ジャム処理手順に基づいて該複数の操作部材のうち第１の操作部材の振動・停止動作を行った後に、第２の操作部材の振動・停止動作を行っていくことも好適である。
【００１０】
装置本体に開閉可能に設けられ装置本体の筐体の一部として前記構成部材をカバーするものであって、前記振動手段により振動されるカバー部材と、
前記カバー部材が開放されたことを検出する開放検出手段と、
を備え、
前記制御手段は、前記構成部材の移動に際して前記カバー部材の開放が必要と判断した場合には、前記振動手段により該カバー部材を振動させ、前記開放検出手段により該カバー部材の開放が検出された場合に該カバー部材の振動を停止させることも好適である。
【００１１】
前記構成部材とは、装置本体に開閉可能に設けられた装置本体の筐体の一部であって、前記操作部材を含むものであり、
前記構成部材が装置本体から開放されたことを検出する開放検出手段を備え、
前記制御手段は、前記構成部材の移動に際して前記振動手段により該構成部材を振動させ、前記開放検出手段により該構成部材の開放が検出された場合に該構成部材の振動を停止させることも好適である。
【００１２】
前記情報入力手段に入力される所定の情報とは、使用者が視覚障害者であることを含む個人情報であることも好適である。
【００１３】
【発明の実施の形態】
以下に図面を参照して、この発明の好適な実施の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【００１４】
図１は、本発明の実施の形態に係る画像形成装置Ａを示す概略図であり、図２は、画像読取装置Ｂを示す概略図である。本実施の形態に係る画像形成装置Ａは、装置の仕様に応じて装置本体の上部に図２に示す画像読取装置Ｂを備えるものである。
【００１５】
図２に示す画像読取装置Ｂは、自動原稿送り部（以降ＡＤＦと略す）１０１、リーダ本体（以降リーダ部と略す）１０２から構成されている。
【００１６】
リーダ部１０２は、原稿照明ランプ１１０，ミラー１１１〜１１３の光学系、原稿台１１６により構成され、原稿台１１６の端部に沿って、下面が白色の白色基準板１２１が配置されている。そして、原稿台に置かれた原稿画像をＣＣＤ１１５に結像させ読み取る。
【００１７】
図２ではＡＤＦ１０１から給送される原稿を、流し読み方式で読み取る場合の光学系の位置を示しており、この位置に光学系が停止している状態でＡＤＦ１０１により給送されてくる原稿を読み取る。
【００１８】
次に、リーダ部１０２が原稿台１１６上に置かれた１枚の原稿を読み取る場合の説明を行う。
【００１９】
原稿照明ランプ１１０，ミラー１１１〜１１３はモータ１１４により駆動され矢印１１８で示す範囲をスキャンし原稿台ガラス１１６上に置かれた原稿を読み取る。
【００２０】
次に、ＡＤＦ１０１による原稿の給送について説明する。
【００２１】
１０３は原稿積載トレイ、１０４は原稿検知センサ、１０５は給紙ローラである。原稿検知センサ１０４によって原稿積載トレイ１０３上に原稿が置かれたかどうか常時監視する。原稿積載トレイ１０３におかれた原稿を給紙ローラ１０５により給紙し、分離ローラ１０７により１枚毎に分離されシートパスに導入される。シートパスに導入された原稿は各ローラにより順次シートパス内を搬送され、流し読み位置１０６を搬送通過する間にＣＣＤ１１５により読み取られる。
【００２２】
１０８は読み取る原稿が片面の場合と両面の場合でシートパスを切り替えるためのフラッパである。
【００２３】
読み取られた原稿は排紙口１０９から排紙され、排紙部１２０に積載される。ＣＣＤ１１５により読み取られた画像データは不図示の画像メモリに記録される。
【００２４】
次に、図１に示す画像形成装置Ａの画像形成部４について説明する。
【００２５】
画像形成部４は、画像形成時において回転駆動する像担持体としての感光体ドラム４３と、画像読取部によって読み取られ、画像メモリに蓄積された画像データに基づいてレーザービームを感光体ドラム４３に照射するレーザーユニット４１、感光体ドラム４３の周囲に回転方向にしたがって順に配置された帯電器４４、現像器４５、転写器４６、分離器４７、クリーニング装置４８を備えている。
【００２６】
感光体ドラム４３の表面には帯電器４４によって一様に帯電されたあと、レーザーユニット４１から照射されたレーザービームがレーザーミラー４２によって折り返され、感光体ドラム４３の表面に画像読み取り部により読み取った原稿画像の静電潜像が形成される。この静電潜像は現像器４５によって現像される。現像された像は、シート積載手段としての給紙カセットより給紙されたシートに、転写器４６よって転写し、原稿画像を形成する。
【００２７】
現像された像が転写された感光体ドラム４３の表面に残った現像剤は、クリーニング装置４８によって取り除かれる。分離器４７では、感光体ドラム４３より像が転写されたシートを分離する。その後、定着装置４９に搬送され、現像剤をシート上に定着させる。定着処理後のシートは排紙部に搬送される。
【００２８】
また、両面に複写する場合には、定着処理後、両面パス５３に搬送しシートを反転させて再び給紙することによって、画像形成部４により裏面にも画像が形成される。シートに画像形成した後、フェイスアップ（原稿画像面が上向き）で排紙する場合には、そのまま排紙部５における排紙トレイ５１に排紙し、フェイスダウン（原稿画像面が下向き）で排紙する場合には排紙部５手前で反転部５２にて反転させ、排紙トレイ５１に排紙する。
【００２９】
図３〜図５は画像形成装置Ａの制御系の主な機能のブロック図である。
【００３０】
図３（ａ），（ｂ）は画像読取装置Ｂの制御系の主な機能のブロック図である。
【００３１】
図３（ａ）において、２０６がＣＰＵ部であり、画像読取装置Ｂのリーダ部１０２，ＡＤＦ１０１の制御をすべて行っている。ＣＰＵ部２０６には不図示のプログラム格納ＲＯＭ，ワークＲＡＭ等が含まれる。
【００３２】
２０７はモータドライブ部であり、モータを駆動させるためのドライバ回路である。２０８は各種センサからの信号をＣＰＵ部２０６に取り込むためのセンサ信号入力部である。ＣＰＵ部２０６は、モータドライバ部２０７及びセンサ信号入力部２０８を用いて、リーダ部１０２，ＡＤＦ１０１の原稿の搬送制御等を行う。
【００３３】
２０３は画像メモリであり、ＣＣＤ１１５上に結像された画像信号はデジタル画像データに変換され、画像処理部２０２で各種の画像処理を行い、画像メモリ２０３に書き込まれる。
【００３４】
図３（ｂ）は画像処理部２０２の全体構成を示す回路ブロック図であり、増幅回路２３１、Ａ／Ｄ変換器２３２、シェーディング補正回路２３３を有している。
【００３５】
ＣＣＤ１１５からは、原稿画像を走査する過程で、読み取りの１ラインごとにアナログの画像信号が出力され、それらは増幅回路２３１により増幅された後、Ａ／Ｄ変換器２３２により８ビットのデジタル信号に変換される。
【００３６】
そして、シェーディング補正回路２３３は、画像信号に対して、それぞれ黒レベル補正と白レベル補正（シェーディング補正）を行う。その後、画像メモリ２０３に書き込まれていくことになる。以上の処理を原稿画像領域分行い、原稿の読み取り画像を形成する。
【００３７】
図４は画像形成装置Ａのコントローラ部Ｕ１０２の制御系機能のブロック図である。
【００３８】
コントローラ部Ｕ１０２は、リーダインタフェース３０１を介して画像読取装置Ｂの制御系であるリーダ部Ｕ１００に接続してあり、プリンタインタフェース３１０を介して画像形成部４の制御系であるプリンタ部Ｕ１０１に接続してある。ここで、コントローラ部Ｕ１０２及びプリンタ部Ｕ１０１は制御手段を構成している。
【００３９】
コントローラ部Ｕ１０２はリーダインタフェース３０１とプリンタインタフェース３１０の他に、リーダメモリ３０２と、画像処理ユニット３１２と、エンコーダ３０３と、圧縮画像用メモリ３０４と、デコーダ３０５と、ページメモリ３０６と、ＣＰＵ（ｃｅｎｔｒａｌ　ｐｒｏｃｅｓｓｉｎｇ　ｕｎｉｔ）３０７と、ＲＡＭ（ｒａｎｄｏｍ　ａｃｃｅｓｓ　ｍｅｍｏｒｙ）３０８と、ＲＯＭ（ｒｅａｄ　ｏｎｌｙ　ｍｅｍｏｒｙ）３０９とを有する。
【００４０】
リーダメモリ３０２は、リーダ部Ｕ１００により読み取った画像の圧縮前の画像データを少なくとも２ページ分一時的にストアするためのものである。また、２ページ分とはラージ原稿Ａ３分サイズ２枚分であり、スモール原稿読み込み時には、リーダメモリ３０２を分割使用することでスモール原稿を連続で４枚分の画像読み込みを可能にしている。
【００４１】
本実施の形態においては、両面原稿の同時読み込みを実現しており、その場合には、リーダメモリ３０２を分割使用することで同時に読み込んだ両面原稿画像データをストアしている。
【００４２】
エンコーダ３０３はリーダメモリ３０２の画像データを圧縮するものである。圧縮画像用メモリ３０４はエンコーダ３０３により圧縮して得られた複数ページ分の画像データをストアするためのものである。
【００４３】
デコーダ３０５は圧縮画像用メモリ３０４の圧縮されている画像データを解析し（伸張し）ページメモリ３０６上に展開するものである。
【００４４】
そしてまた、リーダメモリ３０２上にある画像データに対してデジタル変倍を行う場合には、画像編集用メモリ３１１を用いて、拡大時には線形補間の処理を行うなどして画像の水増しを行い、エンコーダ３０３はその画像データをもとに、圧縮画像用メモリ３０４に圧縮ストアする。
【００４５】
ＲＯＭ３０９は制御プログラムがストアしてある。ＣＰＵ３０７はＲＯＭ３０９の制御プログラムにしたがってコントローラ部Ｕ１０２の各部を制御するものである。ＲＡＭ３０８はＣＰＵ３０７の作業領域である。
【００４６】
次に図４を用いて、画像の流れについて説明する。
【００４７】
リーダ部Ｕ１００により読み取られた原稿の画像データは、リーダインタフェース３０１を介してリーダメモリ３０２にバッファリングされ、画像処理ユニット３１２により白紙検知された後、リーダメモリ３０２の画像データはエンコーダ３０３により圧縮され圧縮画像用メモリ３０４にストアされる。
【００４８】
通常のコピー動作では、圧縮画像用メモリ３０４の画像データは、デコーダ３０５によって解析され、ページメモリ３０６上に展開され、プリンタ部Ｕ１０１に画像出力される。
【００４９】
正常に画像出力が行われた場合は、圧縮画像用メモリ３０４の画像データは消去される。そして、圧縮画像用メモリ３０４にストアした結果、画像データが入りきれないと分かったときに、メモリフルとして処理される。
【００５０】
さらに、プリンタ部Ｕ１０１へはプリンタインターフェース３１０を介して所定のタイミングで圧縮画像用メモリ３０４にストアされた画像を伸張しプリンタ部Ｕ１０１へ転送し、画像形成動作を行う。このとき、リーダー部Ｕ１００およびプリンタ部Ｕ１０１は、それぞれコントローラ部Ｕ１０２とリーダインターフェース３０１、プリンタインターフェース３１０を介したシリアル通信によって制御される。
【００５１】
また、カードリーダー部３１３は、情報入力手段として、個人情報が記録されたＩＤカードを読み取ることにより個人情報が入力されるＩＤカードリーダである。ＩＤカードには障害者情報等が書き込まれており、これを読み取ることにより、障害者のオペレーションと判断された場合に後述のようにジャム処理時にレバーの振動制御がなされる。
【００５２】
図５はプリンタ部Ｕ１０１のプリンタ制御部である。
【００５３】
ＣＰＵ部５０１は定着制御部５０２、高圧制御部５０３、紙搬送制御部５０４、レーザー制御部５０５をセンサ入力部５０６からの情報をもとに管理する。
【００５４】
定着制御部５０２は定着装置４９の制御を行う。高圧制御部５０３は帯電器４４、現像器４５、転写器４６、分離器４７の各制御を行う。紙搬送制御部５０４は各種シート搬送ローラの駆動制御を行い、レーザー制御部５０５はコントローラ部Ｕ１０２から送信された画像データをもとに画像形成のための光量制御を行う。
【００５５】
センサ入力部５０６は紙搬送パス上や、操作部材としてのレバー、カバー部材としてのカバーなどに設けられたセンサの入力をＣＰＵ部５０１に取り込み、動作中状態やジャム等の画像形成状況の判断を行う。ここで、センサ，センサ入力部５０６及びＣＰＵ部５０１は、ジャムの発生を検知するジャム検知手段や、レバーが操作されたことを検出する操作検出手段や、カバーが開放されたことを検出する開放検出手段を構成する。
【００５６】
振動装置制御部５０７は本実施の形態で振動させるべきレバーやカバーなどに接続された振動装置（振動手段）を制御するためのブロックであり、レバーやカバーなどに振動を発生させる。また、ＣＰＵ部５０１はセンサ入力部５０６の情報をもとにレバーが操作されたかどうかを検知して、振動装置制御部５０７へ振動の開始・停止を通知する。
【００５７】
図６は図１に示す画像形成部４のカバー６００を閉じた外観である。
【００５８】
それぞれのカバーには振動装置が接続されている。
【００５９】
図７は図１に示す画像形成部４の前カバー６００を開いた外観である。
【００６０】
センサ６０１はカバー６００が開けられたかどうかを検知する開放検出手段としての開閉検知センサであり、レバー６０２〜レバー６０５はジャム処理の際に操作するレバーである。それぞれのレバーには振動制御部５０７によって制御される振動装置（不図示）および操作監視のための操作検出手段としてのセンサ（不図示）が接続されている。
【００６１】
レバーが操作されたかどうかを検出する手段としては、特に限定されるものではないが、例えば、レバー６０２であれば、フォトセンサが接続されており、図７に示すＡ方向に傾けたときにフォトセンサがＯＮになりＡ方向へ操作されたことを検知するようになっているとよい。
【００６２】
次に、ジャム処理の時の手順を図８のフローチャートを用いて説明する。フローチャートは通常オペレーション中としてコピー中にジャムが発生した時からのものである。
【００６３】
まず、Ｓ１においてジャム発生を検知する。そして、ジャム種別に応じてジャム処理手順を決定する（Ｓ２）。
【００６４】
次に、オペレーション前にカードリーダで読み取ったＩＤカードの個人情報が視覚障害者のものであるかどうか判断する（Ｓ３）。視覚障害者であった場合には振動させるためのＡｃｔＦｌｇをＯＮにする（Ｓ４）。
【００６５】
Ｓ５ではジャム処理のためにカバーオープンが必要かどうかを判断する。カバーオープンが必要でかつ、ＡｃｔＦｌｇ＝ＯＮであればカバーを振動させる（Ｓ６，Ｓ７）。
【００６６】
Ｓ８でカバーオープンをセンサで監視し、Ｓ９でセンサでオープンを検知したら振動を停止させる。
【００６７】
次に、レバー操作が必要かどうかを判断する（Ｓ１０）。ここで、ＡｃｔＦｌｇ＝ＯＮであれば振動装置により、最初の操作レバーを振動させる（Ｓ１１，Ｓ１２）。最初のレバーに接続されたセンサでレバーが正しい方向へ操作されたかどうかを判断し（Ｓ１３）、正しく操作された場合にはレバーの振動を停止させる（Ｓ１４）。
【００６８】
レバー操作終了後、ジャム処理手順が終了したかを判断する（Ｓ１５）。ジャム処理が終了していない場合には、次のレバー操作が必要であるので、以上の動作のＳ１３からＳ１６をジャム処置手順が終了するまで繰り返す。
【００６９】
ここで、ジャム処理を行うために操作すべき最後のレバーにおいては、レバー操作が正しく行われただけでなく、ジャム検知手段によりジャム発生が検知されなくなるまで、最後のレバーの振動を続けるようにしてもよい。
【００７０】
以上のようにしてジャム処理の手順を振動により示し、視覚障害者のサポートを行う。
【００７１】
以上のように、本実施の形態によれば、ジャム処理手順にしたがって操作すべきレバーを視覚障害者に知らせることが可能となり、ジャム処理等の保守作業のサポートを実現する。
【００７２】
そして、ジャム処理手順を順番に示すので手順を間違えること無く、適切なジャム処理を行うことが可能になる。また、障害者が自らジャム処理を経験するので次回ジャム処理時からの処理時間の短縮が見込める。
【００７３】
なお、ジャム処理終了後、装置を元の状態に戻すためのレバー操作を、上述したように、レバーを振動させるようにして操作手順を示してもよく、これにより複数のレバーを操作した場合などでも簡単に元の状態に戻すことができる。
【００７４】
【発明の効果】
以上説明したように、本発明によれば、使用者、特に視覚障害者によるジャム処理等の保守作業のサポートが可能になり、ジャム処理手順を間違えること無く、適切なジャム処理を行うことが可能になる。また、障害者が自らジャム処理を経験するので次回ジャム処理時からの処理時間の短縮が見込める。
【図面の簡単な説明】
【図１】本発明の実施の形態に係る画像形成装置を示す概略図である。
【図２】本発明の実施の形態に係る画像読取装置を示す概略図である。
【図３】図３（ａ）は本発明の実施の形態に係る画像読取装置の駆動制御系の主な機能のブロック図であり、同図（ｂ）は画像制御系の主な機能のブロック図である。
【図４】本実施の形態のコントローラ部制御系の主な機能のブロック図である。
【図５】本実施の形態のプリンタ部制御系の主な機能のブロック図である。
【図６】本実施の形態に係る画像形成装置の外観図である。
【図７】本実施の形態に係る画像形成装置のカバーオープン状態の外観図である。
【図８】本実施の形態における制御のフローチャート図である。
【符号の説明】
４１　レーザーユニット
４２　レーザーミラー
４３　感光体ドラム
４４　帯電器
４５　現像器
４６　転写器
４７　分離器
４８　クリーニング装置
４９　定着装置
５１　排紙トレイ
５２　反転部
５３　両面パス
１０１　ＡＤＦ
１０２　リーダ部
１０３　原稿積載トレイ
１０４　原稿検知センサ
１０５　給紙ローラ
１０６　流し読み位置
１０７　分離ローラ
１０８　フラッパ
１０９　排紙口
１１０　原稿照明ランプ
１１１〜１１３　ミラー
１１５　ＣＣＤ
１１６　原稿台
１２０　排紙部
１２１　白色基準板
６００　カバー
６０１　開閉検知センサ
６０２〜６０５　レバー
【図１】
2004025594.tif 000003
【図２】
2004025594.tif 000004
【図３】
2004025594.tif 000005
【図４】
2004025594.tif 000006
【図５】
2004025594.tif 000007
【図６】
2004025594.tif 000008
【図７】
2004025594.tif 000009
【図８】
2004025594.tif 000010